【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
互いに視差を有する左眼用映像および右眼用映像から、映像のＸ−Ｙ面（Ｘ軸，Ｙ軸により規定される平面）に沿った動きベクトルである１または複数の２次元動きベクトルを検出する第１の動きベクトル検出部と、
検出された２次元動きベクトルに基づいて、前記左眼用映像および前記右眼用映像により表現される立体映像における奥行き方向であるＺ軸方向の情報を取得する情報取得部と
を備えた映像信号処理装置。
【請求項２】
前記情報取得部は、
前記２次元動きベクトルに基づいて、前記Ｚ軸方向の動きベクトルであるＺ軸動きベクトルを取得する第２の動きベクトル検出部と、
前記２次元動きベクトルに基づいて、前記Ｚ軸方向に沿った立体映像の位置情報であるＺ軸位置情報を取得する位置情報検出部と
を有する請求項１に記載の映像信号処理装置。
【請求項３】
前記第１の動きベクトル検出部は、前記左眼用映像および前記右眼用映像のそれぞれから、前記２次元動きベクトルを検出し、
前記第２の動きベクトル検出部は、前記左眼用映像から検出された前記２次元動きベクトルと前記右眼用映像から検出された前記２次元動きベクトルとの差分を求めることにより、前記Ｚ軸動きベクトルを取得する
請求項２に記載の映像信号処理装置。
【請求項４】
前記第１の動きベクトル検出部は、前記２次元動きベクトルとして、前記左眼用映像と前記右眼用映像との間の動き部分の差に対応する左右間動きベクトルを検出し、
前記位置情報取得部は、前記左右間動きベクトルに基づいて、前記Ｚ軸位置情報を取得する
請求項２に記載の映像信号処理装置。
【請求項５】
前記左眼用映像から検出された前記２次元動きベクトルを用いて前記左眼用映像のフレーム補間処理を行うと共に、前記右眼用映像から検出された前記２次元動きベクトルを用いて前記右眼用映像のフレーム補間処理を行うフレーム補間処理部を備えた
請求項２ないし請求項４のいずれか１項に記載の映像信号処理装置。
【請求項６】
前記フレーム補間処理がなされた後の左眼用映像および右眼用映像に対して、前記Ｚ軸動きベクトルおよび前記Ｚ軸位置情報のうちの少なくとも一方を用いて画質改善処理を行う画質改善処理部を備えた
請求項５に記載の映像信号処理装置。
【請求項７】
前記画質改善処理部が、前記画質改善処理としてシャープネス処理を行うシャープネス処理部である
請求項６に記載の映像信号処理装置。
【請求項８】
前記シャープネス処理部は、
前記２次元動きベクトルを用いて求められる２次元ゲイン値と、
前記Ｚ軸動きベクトルおよび前記Ｚ軸位置情報のうちの少なくとも一方を用いて求められるＺ軸ゲイン値と
の双方を加味して、最終的なゲイン値である３次元ゲイン値を求めると共に、この３次元ゲイン値を用いて前記シャープネス処理を行う
請求項７に記載の映像信号処理装置。
【請求項９】
前記Ｚ軸ゲイン値の大きさは、前記Ｚ軸動きベクトルまたは前記Ｚ軸位置情報の大きさおよび方向に応じて設定される
請求項８に記載の映像信号処理装置。
【請求項１０】
互いに視差を有する左眼用パターンおよび右眼用パターンを生成するパターン生成部と、
前記左眼用パターンを前記左眼用映像に重畳すると共に、前記右眼用パターンを前記右眼用映像に重畳することにより、前記Ｘ軸，Ｙ軸，Ｚ軸方向の任意の位置にパターンが重畳されたパターン映像を生成する重畳部と
を備えた請求項２ないし請求項９のいずれか１項に記載の映像信号処理装置。
【請求項１１】
前記パターン生成部は、前記Ｚ軸動きベクトルおよび前記Ｚ軸位置情報のうちの少なくとも一方に基づいて動的に前記左眼用映像と前記右眼用映像との間の視差を求めると共に、求めた視差を用いて前記左眼用パターンおよび前記右眼用パターンを生成する
請求項１０に記載の映像信号処理装置。
【請求項１２】
前記パターン生成部は、予め用意された互いに異なる複数の視差値のうちの１つを、外部からの設定に応じて選択することにより前記左眼用映像と前記右眼用映像との間の視差を決定すると共に、決定した視差を用いて前記左眼用パターンおよび前記右眼用パターンを生成する
請求項１０に記載の映像信号処理装置。
【請求項１３】
前記パターン生成部は、
前記Ｚ軸動きベクトルおよび前記Ｚ軸位置情報のうちの少なくとも一方に基づいて動的に前記左眼用映像と前記右眼用映像との間の視差を求めると共に、求めた視差を用いて前記左眼用パターンおよび前記右眼用パターンを生成する第１の生成モードと、
予め用意された互いに異なる複数の視差値のうちの１つを、外部からの設定に応じて選択することにより前記左眼用映像と前記右眼用映像との間の視差を決定すると共に、決定した視差を用いて前記左眼用パターンおよび前記右眼用パターンを生成する第２の生成モードと
の切り換えが可能となっている
請求項１０に記載の映像信号処理装置。
【請求項１４】
前記左眼用パターンおよび前記右眼用パターンが、テストパターンまたはＯＳＤパターンである
請求項１０ないし請求項１３のいずれか１項に記載の映像信号処理装置。
【請求項１５】
前記左眼用パターンおよび前記右眼用パターンが、ＯＳＤパターンであり、
前記重畳部は、前記Ｚ軸位置情報の内容に応じて、前記ＯＳＤパターンを前記左眼用映像および前記右眼用映像に重畳する際のＺ軸方向の位置を制御しつつ、ＯＳＤパターン映像を生成する
請求項１０ないし請求項１３のいずれか１項に記載の映像信号処理装置。
【請求項１６】
互いに視差を有する左眼用映像および右眼用映像から、映像のＸ−Ｙ面（Ｘ軸，Ｙ軸により規定される平面）に沿った動きベクトルである１または複数の２次元動きベクトルを検出する第１の動きベクトル検出部と、
検出された２次元動きベクトルに基づいて、前記左眼用映像および前記右眼用映像により表現される立体映像における奥行き方向であるＺ軸方向の情報を取得する情報取得部と、
前記左眼用映像から検出された前記２次元動きベクトルを用いて前記左眼用映像のフレーム補間処理を行うと共に、前記右眼用映像から検出された前記２次元動きベクトルを用いて前記右眼用映像のフレーム補間処理を行うフレーム補間処理部と、
前記フレーム補間処理がなされた後の左眼用映像および右眼用映像に対して、前記Ｚ軸方向の情報を用いて画質改善処理を行う画質改善処理部と、
前記画質改善処理がなされた後の左眼用映像および右眼用映像を時分割で切り換えて表示する表示部と
を備えた映像表示装置。
【手続補正２】
【補正対象書類名】明細書
【補正対象項目名】０００９
【補正方法】変更
【補正の内容】
【０００９】
本発明の映像信号処理装置は、互いに視差を有する左眼用映像および右眼用映像から、映像のＸ−Ｙ面（Ｘ軸，Ｙ軸により規定される平面）に沿った動きベクトルである１または複数の２次元動きベクトルを検出する第１の動きベクトル検出部と、検出された２次元動きベクトルに基づいて、左眼用映像および右眼用映像により表現される立体映像における奥行き方向であるＺ軸方向の情報を取得する情報取得部とを備えたものである。
【手続補正３】
【補正対象書類名】明細書
【補正対象項目名】００１０
【補正方法】変更
【補正の内容】
【００１０】
本発明の映像表示装置は、上記第１の動きベクトル検出部と、上記情報取得部と、左眼用映像から検出された２次元動きベクトルを用いて左眼用映像のフレーム補間処理を行うと共に、右眼用映像から検出された２次元動きベクトルを用いて右眼用映像のフレーム補間処理を行うフレーム補間処理部と、フレーム補間処理がなされた後の左眼用映像および右眼用映像に対して、Ｚ軸方向の情報を用いて画質改善処理を行う画質改善処理部と、画質改善処理がなされた後の左眼用映像および右眼用映像を時分割で切り換えて表示する表示部とを備えたものである。
【手続補正４】
【補正対象書類名】明細書
【補正対象項目名】００１１
【補正方法】変更
【補正の内容】
【００１１】
本発明の映像信号処理装置および映像表示装置では、互いに視差を有する左眼用映像および右眼用映像から、映像のＸ−Ｙ面に沿った動きベクトルである１または複数の２次元動きベクトルが検出される。そして、この検出された２次元動きベクトルに基づいて、左眼用映像および右眼用映像により表現される立体映像における奥行き方向であるＺ軸方向の情報が取得される。
【手続補正５】
【補正対象書類名】明細書
【補正対象項目名】００１２
【補正方法】変更
【補正の内容】
【００１２】
特に、本発明の映像表示装置では、左眼用映像から検出された２次元動きベクトルを用いて左眼用映像のフレーム補間処理が行われると共に、右眼用映像から検出された２次元動きベクトルを用いて右眼用映像のフレーム補間処理が行われる。また、フレーム補間処理がなされた後の左眼用映像および右眼用映像に対して、Ｚ軸方向の情報を用いて画質改善処理が行われる。そして、画質改善処理がなされた後の左眼用映像および右眼用映像が、時分割で切り換えて表示される。これにより、２次元動きベクトルを利用したフレーム補間処理によって立体映像表示の際のフリッカの発生が軽減されると共に、取得したＺ軸方向の情報を用いた画質改善処理が可能となり、従来の立体映像表示と比べて効果的な画質向上（より自然で奥行き感をもたせた立体映像表示）が可能となる。
【手続補正６】
【補正対象書類名】明細書
【補正対象項目名】００１３
【補正方法】変更
【補正の内容】
【００１３】
本発明の映像信号処理装置および映像表示装置によれば、互いに視差を有する左眼用映像および右眼用映像から、映像のＸ−Ｙ面に沿った動きベクトルである１または複数の２次元動きベクトルを検出すると共に、検出された２次元動きベクトルに基づいて、左眼用映像および右眼用映像により表現される立体映像における奥行き方向であるＺ軸方向の情報を取得するようにしたので、より自然で奥行き感をもたせた立体映像表示の実現が可能となる。
【手続補正７】
【補正対象書類名】明細書
【補正対象項目名】００２９
【補正方法】変更
【補正の内容】
【００２９】
シャッター眼鏡６は、液晶表示装置１の観察者（図１には図示せず）が用いることにより立体視を可能とするものである。このシャッター眼鏡６は、左眼用シャッター６Ｌおよび右眼用シャッター６Ｒを有しており、これらの左眼用シャッター６Ｌおよび右眼用シャッター６Ｒにはそれぞれ、例えば液晶シャッターなどの遮光シャッター（図示せず）が設けられている。これらの遮光シャッターにおける遮光機能の有効状態（オープン（開）状態）および無効状態（クローズ（閉）状態）は、シャッター制御部４２から供給される制御信号ＣＴＬにより制御されるようになっている。具体的には、詳細は後述するが、シャッター制御部４２は、左眼用映像および右眼用映像の切り換え表示に同期して、左眼用シャッター６Ｌおよび右眼用シャッター６Ｒの開状態および閉状態が交互に切り替わるように、シャッター眼鏡６を制御している。
【手続補正８】
【補正対象書類名】明細書
【補正対象項目名】００６４
【補正方法】変更
【補正の内容】
【００６４】
この際、図７（Ａ）に示したように、左眼用の映像表示のときには、制御信号ＣＴＬにより、観察者７が用いるシャッター眼鏡６において、右眼用シャッター６Ｒにおける遮光機能が有効状態となると共に、左眼用シャッター６Ｌにおける遮光機能が無効状態となる。すなわち、左眼用シャッター６Ｌでは、左眼用の映像表示による表示光ＬＬの透過に対して開（オープン）状態となり、右眼用シャッター６Ｒでは、この表示光ＬＬの透過に対して閉（クローズ）状態となる。一方、図７（Ｂ）に示したように、右眼用の映像表示のときには、制御信号ＣＴＬにより、左眼用シャッター６Ｌにおける遮光機能が有効状態となると共に、右眼用シャッター６Ｒにおける遮光機能が無効状態となる。すなわち、右眼用シャッター６Ｒでは、右眼用の映像表示による表示光ＬＲの透過に対して開状態となり、左眼用シャッター６Ｌでは、この表示光ＬＲの透過に対して閉状態となる。そして、このような状態が時分割で交互に繰り返されるため、液晶表示装置１の表示画面を観察者７がシャッター眼鏡６をかけて観察することにより、立体映像の観察が可能となる。すなわち、観察者７は、左眼用映像を左眼７Ｌ、右眼用映像を右眼７Ｒで見ることができ、これらの左眼用映像と右眼用映像との間には視差があるため、観察者７には奥行きのある立体的な映像として認識される。
【手続補正９】
【補正対象書類名】明細書
【補正対象項目名】０１１１
【補正方法】変更
【補正の内容】
【０１１１】
１…液晶表示装置、２…液晶表示パネル、２０…画素、２１…ＴＦＴ素子、２２…液晶素子、２３…補助容量素子、３…バックライト、４１…映像順序制御部、４２…シャッター制御部、４３，４３Ａ…映像信号処理部、４３０…２フレーム遅延部、４３１…ＸＹ軸動きベクトル検出部、４３１Ｌ…Ｌ画像動きベクトル検出部、４３１Ｒ…Ｒ画像動きベクトル検出部、４３２…Ｚ軸情報取得部、４３２Ａ…Ｚ軸動きベクトル検出部、４３２Ｂ…ＬＲ画像動きベクトル検出部、４３２Ｃ…Ｚ軸位置情報検出部、４３３…フレーム補間処理部、４３４…画質改善処理部、４３４−１…シャープネス処理部、４３４Ａ…フィルタ部、４３４Ｂ…ゲイン算出部、４３４Ｃ…乗算部、４３４Ｄ…加算部、４３５…テスト／ＯＳＤパターン生成部、４３５Ａ…Ｚ軸パラメータ算出部、４３５Ｂ…選択部、４３５Ｌ…Ｌ画像用生成部、４３５Ｒ…Ｒ画像用生成部、４３６…重畳部、４４…タイミング制御部、５０…バックライト駆動部、５１…データドライバ、５２…ゲートドライバ、６…シャッター眼鏡、６Ｌ…左眼用シャッター、６Ｒ…右眼用シャッター、７…観察者（ユーザ）、７Ｌ…左眼、７Ｒ…右眼、８１１，８１４，８２１，８２４…セレクタ、８１２，８２２，８３１，８３２…乗算部、８１３，８２３…加算部、Ｄin，Ｄ１〜Ｄ４…映像信号、ＣＴＬ…制御信号、Ｄ…データ線、Ｇ…ゲート線、Ｃｓ…補助容量線、Ｌ，Ｌ１，Ｌ２…左眼用映像、Ｒ，Ｒ１，Ｒ２…右眼用映像、ＬＬ，ＬＲ…表示光、Ｌ／Ｒ…ＬＲ判定フラグ、ＳＷ１１〜ＳＷ１３，ＳＷ２…スイッチ、ｍｖＬ，ｍｖＲ，ｍｖＬＲ，ｍｖｘｙ，ｍｖｚ…動きベクトル、Ｐｚ…Ｚ軸位置情報、Ｓ１１，Ｓ１２，Ｓ２１，Ｓ２２，Ｓ３…選択信号、ＰＬ，ＰＬ１，ＰＬ２，ＰＲ，ＰＲ１，ＰＲ２…パラメータ、ＴＬ，ＴＲ，Ｔout…テストパターン、ＯＬ，ＯＲ，Ｏout…ＯＳＤパターン、Ｉｚ…Ｚ軸座標インジケータ。